(57)【特許請求の範囲】
【請求項１】
ケース内に支軸によりシーソー式に出没自在に収容されたストッパを有する窓サッシ等の換気用補助錠において、
ストッパと、ロータと、ロック片と、リンクとを有し、
前記ストッパは、施錠時に前記ケースから突出する部分の端部に被係合部が設けられたものであり、
前記ロータは、前記ケースの前記ストッパが施錠時に前記ケースから突出する部分の側に回転自在に設けられ、前記ケースの正面に臨む鍵穴を有し、その鍵穴に差し込まれる所定の鍵により回転されるものであり、
前記ロック片は、前記ケース内の前記ストッパと前記ロータの間に前記ケースの長手方向に往復移動自在に収容されたものであり、
前記リンクは、一端が前記ロータの偏心位置に、他端が前記ロック片に揺動自在にそれぞれ枢着され、前記ロータの一方向及び逆方向の回転に伴い、前記ロック片を前記ケースの長手方向に往復移動させるものであり、
前記ロック片の前記ストッパ側の端部には、前記ストッパが前記ケースに没入された状態において前記ロータが一方向に回転されたことに伴って前記ロック片が前記ストッパ方向に移動されたときに前記ストッパの被係合部と係合する解錠時係合部と、前記ストッパが前記ケースから突出された状態において前記ロータが逆方向に回転されたことに伴って前記ロック片が前記ストッパ方向に移動されたときに前記ストッパの被係合部と係合する施錠時係合部が設けられている、
ことを特徴とする窓サッシの換気用補助錠。
【発明の詳細な説明】
【０００１】
【発明の属する技術分野】
本発明は、片引戸又は引き違い戸を建て付けた窓サッシ等に用いられる換気用補助錠に関する。
【０００２】
【従来の技術】
片引戸又は引き違い戸を建て付けた窓サッシには、通常、防犯のためにクレセント錠が取付けられるが、クレセント錠を施錠したままでは、十分な換気ができないので、引戸を人が侵入できない程度の量だけ開けて十分な換気ができるとともに、それ以上は開けることができないように引戸をロックする換気用補助錠が、クレセント錠に加えて、取付けられる例がある。
【０００３】
図７は、窓サッシに取付けてある従来の換気用補助錠を示す斜視図であり、図８は、その補助錠の構成及び作用の説明図である。図８の（ａ）は解錠状態の正面図、（ｂ）は（ａ）の中央横断面図、（ｃ）は施錠状態の断面図である。
補助錠ＳＬは、図７に示すように、一般的には、外障子１００の下框１０１の室内側面の召合せ框１０２から１５ｃｍ程度離れた位置に取付けられ、室内から操作される。しかしながら、従来の補助錠ＳＬは、ケース１の中にストッパ２を収容し、ケース１に固着された支軸３を中心にシーソー式に出没自在に保持した構成であった。そして、解錠状態においてケース１に収容されているストッパ２の一方側の摩擦係数を大きくするためにギザギザ又はローレット切りを施した部分２ａを押すと、ストッパ２の他方側部分２ｂがケース１の正面から突出して、内障子２００が１５ｃｍ程度まで開けられるが、内障子の召合せ框２０１がストッパに当接して、それ以上は開けられない状態で施錠状態になり、また、施錠状態のストッパ、すなわち、図８（ｃ）のようにケース１から突出されているストッパ２の他方側部分２ｂを押すと、ストッパ２がケース内に没入して解錠状態に復帰するようになっている。なお、ケース１には、解錠時にケースに収容されたストッパ２をその位置に仮係止し、また、施錠時にケースから突出されたストッパ２をその位置に仮係止するための弾性を有する係止段部４が形成されている。
【０００４】
【発明が解決しようとする課題】
上述のように、従来の補助錠は、単にケース１にストッパ２がシーソー式に出没自在に収容された構造のものであり、施錠状態でもストッパが仮係止される、いわば、空締め錠であるため、ストッパ２は、その一端部又は他端部を単に押すだけで施錠位置又は解錠位置に移動する。その結果、外部侵入者が屋外側から施錠状態の補助錠を容易に解錠操作して侵入したり、室内側で幼児や病院の入院患者等が誤って解錠してしまうことがあった。
【０００５】
本発明は、上記の点に鑑みてなされたものであり、その課題は、上記のように屋外側又は室内側から容易に操作されることを防止するとともに、特定者のみが操作できるようにロック機構を備えて、防犯性及び安全性が向上された換気用補助錠を提供することにある。
【０００６】
【課題を解決するための手段】
上記課題を解決するため、本発明は、ケース内に支軸によりシーソー式に出没自在に収容されたストッパを有する窓サッシ等の換気用補助錠において、（ａ）ストッパと、ロータと、ロック片と、リンクとを有し、（ｂ）前記ストッパは、ケース内に支軸によりシーソー式に出没自在に収容され、施錠時に前記ケースから突出する部分の端部に被係合部が設けられたものであり、（ｃ）前記ロータは、前記ケースの前記ストッパが施錠時に前記ケースから突出する部分の側に回転自在に設けられ、前記ケースの正面に臨む鍵穴を有し、その鍵穴に差し込まれる所定の鍵により回転されるものであり、（ｄ）前記ロック片は、前記ケース内の前記ストッパと前記ロータの間に前記ケースの長手方向に往復移動自在に収容されたものであり、（ｅ）前記リンクは、一端が前記ロータの偏心位置に、他端が前記ロック片に揺動自在にそれぞれ枢着され、前記ロータの一方向及び逆方向の回転に伴い、前記ロック片を前記ケースの長手方向に往復移動させるものであり、（ｆ）前記ロック片の前記ストッパ側の端部には、前記ストッパが前記ケースに没入された状態において前記ロータが一方向に回転されたことに伴って前記ロック片が前記ストッパ方向に移動されたときに前記ストッパの被係合部と係合する解錠時係合部と、前記ストッパが前記ケースから突出された状態において前記ロータが逆方向に回転されたことに伴って前記ロック片が前記ストッパ方向に移動されたときに前記ストッパの被係合部と係合する施錠時係合部が設けられていることを特徴としている。
上記構成により、鍵穴に差し込んだ鍵を介してロータを所定の角度まで一方向に回転すると、ロック片がストッパと係合する位置から離脱するため、ストッパの一端を押してケースから突出させて施錠状態にし、又は、逆に、突出しているストッパの他端を押してケース内に没入させて解錠状態にすることができる。つまり、ストッパを単に押すだけで、施錠又は解錠することができる。その鍵を介してロータを所定角度まで逆方向に回転すると、ロック片がストッパと係合する位置に移動され、（ｉ）ストッパが突出された状態にあるときはロック片の施錠時係合部がストッパの被係合部と係合して施錠状態がロックされるため、ストッパを押しても解錠されない。(ii)ストッパが没入された状態にあるときはロック片の解錠時係合部がストッパの被係合部と係合して解錠状態がロックされるため、ストッパを押しても施錠されない。
すなわち、本発明による補助錠は、ロータを一方向に回転したときは、ストッパを単に押すだけで、施錠又は解錠することができ、しかも、施錠又は解錠状態が固定される（ロックがかかる）ことはない。また、ロータを逆方向に回転したときは、その時にストッパが没入状態にあるか、突出状態にあるかにより、解錠状態又は施錠状態にロックされる。
【０００７】
【発明の実施の形態】
続いて、本発明の実施の形態について、図１ないし図５に基づいて説明する。
図１は窓サッシに取付けられている本発明に係る換気用補助錠を示す斜視図、図２は同補助錠がロックされていない状態における作用説明図であり、（ａ）はその正面図、（ｂ）は平面図、（ｃ）は断面図である。図３は同補助錠が解錠状態においてロックされている状態における作用説明図であり、（ａ）はその正面図、（ｂ）は平面図、（ｃ）は断面図である。図４は同補助錠が施錠状態においてロックされている状態における作用説明図であり、（ａ）はその正面図、（ｂ）は平面図、（ｃ）は断面図である。図５はロック機構の構成及び非ロック時の状態を示す説明図であり、（ａ）は正面図、（ｂ）は断面図である。図６はロック機構の構成及びロック時の状態を示す説明図であり、（ａ）は正面図、（ｂ）は断面図である。図７及び図８の従来の補助錠と共通の構成部材には、同一の符号を用いて、重複する説明を省略する。
【０００８】
図１〜図４に示すように、本発明に係る補助錠ＳＬには、ケース１内のストッパ収容空間１ａにストッパ２が支軸３によりシーソー式に出没自在に収容され、ストッパ２を解錠位置又は施錠位置に仮止めする弾性係止段部４を備えていることに加えて、ケース１がサッシの召合せ框１０２に近付く方向に若干延長され、その延長部分の中にロック手段収容空間ｓ２が形成され、そのロック手段収容空間１ｂはケース１の中でストッパ収容空間１ａと連通されている。
【０００９】
ロック手段収容空間１ｂには、補助錠自体をロックするためのロック手段が収容されている。ロック手段は、図５、６に良く示されているように、所定の鍵により回転可能なロータ５と、そのロータの一方向回転又は逆方向回転に伴いストッパ２の方向に往復移動されるロック片６と、ロータとロック片を連結するリンク７とから構成されている。
【００１０】
ロータ５は、円棒状に形成され、一端部に設けられた小径部の端面に鍵穴５ａが設けてあり、その小径部をケース１の正面に形成された孔１ｃから室内側に臨ませて、鍵穴５ａに所定の鍵を差し込んでロータ５を所定方向に回転することができるように保持されている。
【００１１】
ロータ５の軸線方向中間部に外周面の一部に開口する切欠５ｂが設けてあり、その切欠にリンク７の一端部が挿入され、ロータの軸心から外れた位置（偏心）において軸８により回動自在に支持されている。
【００１２】
ロック片６は、ほぼブロック状に形成されている。ストッパ２側の部分は断面台形状に形成されて、そのケースの正面側の傾斜面と背面側の傾斜面によって、それぞれ施錠時係合部６ａと解錠時係合部６ｂが形成されている。ロック片６は、また、その中央部に断面ラッパ状の孔又は切欠６ｃが形成され、広口側をロータ５に向けて、ロック手段収容空間１ｂのロータ５よりもストッパに近い位置にストッパ２に遠近移動可能に収容されている。
そして、リンク７の他端がロック片６の切欠６ｃに挿入され、その切欠の奥に軸９により回動自在に支持されている。
【００１３】
さらに、本発明においては、ストッパ２の施錠時に突出する部分の端部に、前記ロック片６の施錠時係合部６ａ及び解錠時係合部６ｂに対応する被係合部２ｃが設けられている。なお、図２〜４において１ｄはケース１の背面に取付けられ、ロック手段収容空間１ｂを閉塞する裏カバーであり、ロータ５を回転自在に、ロック片６を摺動自在に保持している。
【００１４】
続いて、上記の構成による作用を説明する。
鍵穴５ａに所定の鍵を差し込み、その鍵穴が図５（ａ）に示すように上向きになるように図示の例では反時計方向に回転すると、リンク７が図５（ｂ）に示すように右方向に移動されるため、ロック片６がケース１内を右方向、すなわち、ストッパ２から離れる方向に移動される。このため、図２（ｃ）に示すようにロック片６の施錠時係合部６ａ及び解錠時係合部６ｂのいずれも、ストッパ２の被係合部２ｃから離間される。従って、ストッパ２の鍵穴５ａと反対側の一端部２ａを押して、ストッパ２の他端部２ｂをケースの正面から突出させることができる。
【００１５】
図２の没入状態のストッパ２を押さずに、鍵穴５ａに差し込まれている鍵を鍵穴が図６（ａ）及び図３（ａ）に示すように右向きになるようにロータ６を図示の例では時計方向に回転すると、リンク７が図６に示すように左方向に移動されるため、ロック片６がケース１内を左方向、すなわち、ストッパ２に近づく方向に移動される。そのため、このときは、図３（ｃ）に示すようにロック片６の解錠時係合部６ｂが没入位置に存在するストッパの被係合部２ｃに係合する。従って、ストッパ２の一端部２ａを押しても、ストッパ２を突出させることができない。すなわち、補助錠ＳＬは解錠状態にロックされ、所定の鍵を所持する特定者しかロックを解除することができない。
【００１６】
これに対して、図２の没入状態のストッパ２の一端部２ａを押してストッパ２を突出させた後、鍵穴が図４（ａ）及び図６（ａ）に示すように右向きになるようにロータ６を図示の例では時計方向に回転すると、ロック片６がケース１内を左方向に移動される。そのため、このときは、図４（ｃ）に示すようにロック片６の施錠時係合部６ａが突出位置に存在するストッパの被係合部２ｃに係合する。従って、ストッパ２の他端部２ｂを押しても、ストッパを没入させることができない。すなわち、補助錠ＳＬは施錠状態にロックされ、同様に、所定の鍵を所持する特定者しかロックを解除することができない。
【００１７】
上記実施例は、本発明の補助錠を窓サッシに換気用に取付けた例であるが、本発明の補助錠は片引戸又は引違い戸を建て付けた玄関、勝手口などにも用いることができることは多言を要しない。なお、鍵穴５ａの形状又は向きはとくに制限されず、また、ロータ５の施錠字及び解錠時の回転方向は、切欠５ｂの形状または位置関係により、図示の例の逆にすることができる。
【００１８】
【発明の効果】
上述のように、本発明による補助錠は、随時自由に施錠と解錠をすることができる態様と、所定の鍵を有する特定者のみが解錠状態又は施錠状態にロックする態様のいずれでも使用することができるから、融通性に富むとともに、防犯性及び安全性が格段に向上される。
【図面の簡単な説明】
【図１】窓サッシに取付けられている本発明に係る換気用補助錠を示す斜視図
【図２】同補助錠がロックされていない状態における作用説明図であり、（ａ）は正面図、（ｂ）は平面図、（ｃ）は断面図。
【図３】同補助錠が解錠状態においてロックされている状態における作用説明図であり、（ａ）は正面図、（ｂ）は平面図、（ｃ）は断面図。
【図４】同補助錠が施錠状態においてロックされている状態における作用説明図であり、（ａ）は正面図、（ｂ）は平面図、（ｃ）は断面図。
【図５】図５はロック機構の構成及び非ロック時の状態を示す説明図であり、（ａ）は正面図、（ｂ）は断面図。
【図６】図６はロック機構の構成及びロック時の状態を示す説明図であり、（ａ）は正面図、（ｂ）は断面図。
【図７】窓サッシに取付けてある従来の換気用補助錠を示す斜視図。
【図８】その補助錠の構成及び作用の説明図。
【符号の説明】
ＳＬ    補助錠
１      ケース
２      ストッパ
２ｃ    被係合部
３      支軸
４      係止段部
５      ロータ
６      ロック片
６ａ    解錠時係合部
６ｂ    施錠時係合部
７      リンク
８，９  軸
【図１】
0003709122.tif 000002
【図２】
0003709122.tif 000003
【図３】
0003709122.tif 000004
【図４】
0003709122.tif 000005
【図５】
0003709122.tif 000006
【図６】
0003709122.tif 000007
【図７】
0003709122.tif 000008
【図８】
0003709122.tif 000009